(57)【特許請求の範囲】
【請求項１】
主軸（Ｘ）を有するスパイダー（２）と、
このスパイダー（２）へと収束し、スパイダー（２）に関節接続された少なくとも３つの脚部（３）と、
前記スパイダー（２）に対して、主軸（Ｘ）を中心として回動可能なようにして装着され、支柱（１１）を支持する支持部（１０）とを具備し、
この支持部（１０）には、前記支柱（１１）の軸が前記スパイダー（２）の主軸（Ｘ）に対して夫々異なる角を成すように傾斜された少なくとも２つの位置で支柱（１１）を移動可能なようにしてロックする支柱配置手段と、
主軸（Ｘ）を中心としたスパイダー（２）に対する支持部（１０）の回転をロック可能な回転ロック手段とが設けられている三脚において、
前記支柱配置手段は、前記回転ロック手段に組み込まれており、
これら支柱配置手段及び回転ロック手段のロック動作は、単一の動作ノブ（１９）により動作されるねじクランプ装置（１７）によって制御されることを特徴とする三脚。
【請求項２】
前記支持部（１０）は、前記スパイダー（２）及び支柱（１１）に夫々接続され得る第１の部分（１３）及び第２の部分（２１）を有し、また、
前記支柱配置手段は、前歯部（２８ａ，２８ｂ）を備えたカップリングを有し、
このカップリングは、前記第１の部分（１３）と第２の部分（２１）との間で作動する請求項１の三脚。
【請求項３】
前記カップリングは、第１の結合部材（２７ａ）と第２の結合部材（２７ｂ）とを有し、
これら第１及び第２の結合部材（２７ａ，２７ｂ）は、夫々、支持部（１０）の前記第１の部分（１３）及び第２の部分（２１）に夫々設けられた第１の歯部（２８ａ）及び第２の歯部（２８ｂ）を含み、
これら第１及び第２の歯部（２８ａ，２８ｂ）は、前記第１の部分（１３）及び第２の部分（２１）の相対的な回転をロックする手段を構成している請求項２の三脚。
【請求項４】
前記第１の部分は、前記主軸（Ｘ）を中心としたスパイダー（２）に対してロック可能なクランプ部材（１３）を有し、
前記第１の歯部（２８ａ）は、このクランプ部材（１３）の表面上に形成されており、
前記第２の部分は、前記支柱（１１）を取り外し可能なようにしてロックするスリーブ構造体（２１）を有し、
前記第２の歯部（２８ｂ）は、このスリーブ構造体（２１）から延びた付属物（２５）上に形成されている請求項３の三脚。
【請求項５】
前記ねじクランプ装置（１７）は、前記第１及び第２の結合部材（２７ａ，２７ｂ）が互いに結合されたとき、スパイダー（２）の主軸（Ｘ）に対する支柱（１１）の予め選択された角度位置で前記第１の歯部（２８ａ）と第２の歯部（２８ｂ）とをロックするために、前記付属物（２５）とクランプ部材（１３）との間で作動する請求項４の三脚。
【発明の詳細な説明】
【０００１】
【発明の属する技術分野】
本発明は、特に光学及び写真のために使用される、本発明の請求項１の前段部に係わる、改良された三脚に関する。
【０００２】
【従来の技術】
以下の文章では、“三脚”という用語は、３つ以上の脚部を有する支持部を示している。かくして、脚部の数に対応して使用されている専門用語に、絶対的もしくは明らかに帰結されるように考えなくてはならないという制限はない。
【０００３】
【発明が解決しようとする課題】
示されたようなタイプの三脚は、光学もしくは写真の装置のために、撮影される対物に対する所定の距離及び高さにおいて安定した方法で使用されることが、一般に公知である。このタイプの支持部は、同出願人の特許出願番号ＰＤ９８Ａ００００９６号の説明によって、公知である。これは、脚部の関節のためのスパイダーと、このスパイダー内に設けられ、三脚の主軸と同軸の第１の台座とこの第１の台座に実質的に直交した第２の台座とを備えた支持部とを有し、かくして、支柱は、代わりにかつ取り外し可能なように、これら第１の台座及び第２の台座内に受けられ得る三脚を説明している。
【０００４】
写真の近接写真もしくは拡大写真の場合は、撮影される対物に至近まで接近することが必要である。この三脚は、支柱が三脚の主軸に対して直角を成すように設けられ得る限り、支柱かくして写真装置の位置が非常に近接するのを可能にする。しかし、こうした位置は、スパイダーに設けられた１もしくは他の台座内に支柱を設けることによって得られる、互いに直交した２つの方向にのみ限定される。
【０００５】
本発明は、公知のタイプの三脚の汎用性を、支柱のために可能にされた位置及び配置数の増加によって改良することを、主目的として提案する。
この目的の範囲内で、同様に、本発明は、容易でかつ三脚の脚部の位置の調節から独立した、支柱の位置の調節を可能にすることを、提案している。
【０００６】
【課題を解決するための手段】
これらの、また他の目的は、請求項に従って形成された三脚によって、本発明により果たされる。
【０００７】
【発明の実施の形態】
本発明の特徴及び利点が、添付図面を参照して非限定的な例を用いて説明されている好ましい典型的な実施形態の１つを以下に詳細に説明することによって、明らかになるだろう。
図１乃至図３を参照すると、参照符号１は、本発明に係わって形成された三脚の全体を示している。この三脚１は、主軸Ｘを有しているスパイダー２を備え、このスパイダー２に、全て参照符号３で示された３つの脚部が収束し、各ピン４で関節接続されている。
各脚部は、２以上の延長部を備えた伸縮自在な構造を有するように形成されており、これら脚部の相対的な位置付けは、クランプ５によって調節され得る。更に、対応するピン４を中心とした各脚部３の角度位置は、それ自体は従来のタイプであるレバー調節装置６によって調節され得る。
【０００８】
スパイダーの中心には、軸Ｘと同軸的に延び、同じく軸Ｘと同軸上にある円筒形のピン９をロックするためのねじ手段８を受け得る穴７が設けられている。このピン９には、全体的に参照符号１０で示された支持部が、軸Ｘを中心に回転可能なように設けられている。この支持部１０は、スパイダー２並びに支柱１１に夫々堅く接続され得る第１の部分並びに第２の部分を有する。支柱１１には、写真装置もしくは他の装置の物品を取り付けるために、接続部１２、例えばねじ接続部が、一端に設けられている。
【０００９】
特に、前記第１の部分は、軸Ｘと同軸で、ピン９を受けるように意図された円筒形台座１４が内に形成されたクランプ部材１３を有する。台座１４は、ノッチ１５によって、周方向で中断されており、このノッチに沿って、２つの並列した頬部１６ａ、１６ｂが外方に向かって延びている。部材１３は、ノッチ１５によって、弾性的に変形可能で、特に、軸Ｘに直交する径方向に収縮する。
前記部材１３は、ピン９に締め付けられ、かくして、ピンに、全体的に参照符号１７で示されたねじクランプ装置によって、堅く接続されている。この装置は、前記頬部１６ａ、１６ｂを貫通し、主軸Ｘに対して直交した軸Ｙを有し、頭部１８ａと、動作ノブ１９中にねじ込まれた対向ねじ部分１８ｂとを備えたピン構造体１８を有している。
【００１０】
参照符号２０は、前記ノブ１９と部材１３との間に介在された、好ましくは転がりボールタイプの軸受を示す。この軸受は、ノブ１９を駆動する際に使用者に求められる力を減じるように作用する。
前記支持部１０の第２の部分は、支柱１１に沿って摺動する、スプリットスリーブ構造体２１を有する。支柱１１は、回転及び摺動可能なように、このスリーブ構造体２１中に受けられ、スリーブに設けられ、軸方向の一端でレバー２３に接続されたタイロッド２２によってスリーブ構造体に締め付けられている。このレバー２３には、スリーブ構造体２１に干渉する突起部２４が、スリーブ上のレバーの閉動作によってスリーブ構造体を支柱に締め付けるために設けられている。
【００１１】
互いに対向する２つの面２５ａ、２５ｂによって規定され、穴２６が中心で横方向に延びている付属物２５が、スリーブ構造体２１から延びている。この穴２６によって、スリーブ構造体２１は、ピン１８上に回転可能なように支持されている。
付属物２５とこれに面した頬部１６ａとの間で、軸Ｙの方向に互いに結合され得る第１の結合部材２７ａと第２の結合部材２７ｂとを有し、前歯部を備えたカップリングが働く。結合部材２７ａ、２７ｂは、軸Ｙと同軸上に延び、付属物２５の表面２５ａと、この付属物に面したクランプ部材１３の表面とから夫々突出している各鋸歯状の冠部２８ａ、２８ｂを有する。
【００１２】
歯部２８ａ、２８ｂは、結合部材２７ａ、２７ｂが相互結合されているときに支持部の第１の部分と第２の部分との間での軸Ｙを中心とした相対的な回転をロックするような外形を有するように成形されている。
結合部材２７ａ、２７ｂは、ピン１８のねじ部分にノブ１９をねじ付けすることによって、互いに軸方向に締め付けられている。更に、鋸歯状の冠部２８ａ、２８ｂは、軸Ｙを中心とした互いに対する角度位置付けを予め行うことによって、軸方向に結合され得る。続いて、スリーブ構造体２１と、支柱１１とは、この支柱１１が予め選択された角度だけ主軸Ｘに対して傾斜される予め選択された動作位置で、支持部１０に対して方向付けられ、ロックされ得る。支柱１１とスパイダー２との間の相対的な角度位置の数は、冠２８ａ、２８ｂの歯部の数及び角度ピッチによって決まる。
【００１３】
同様に、ノブ１９をピン１８に締め付けることによって、軸Ｘを中心とした部材１３の回転の停止と、軸Ｙを中心としたスリーブ構造体２１の相対的な回転の停止とが可能であることが注目されなくてはならない。支柱１１の予め選択された配置から始めて、軸Ｘ及び軸Ｙを中心とした支持部１０の回転が停止され、ノブ１９の第１の及びねじのない部分は、軸Ｘを中心とした支持部の回転が停止状態に維持される間、結合部材２７ａ、２７ｂを軸方向に分離可能にする。このような作動状況では、支柱１１は、必要であれば軸Ｘに対して夫々異なった傾斜を有して位置されるように、軸Ｙを中心として自由に方向付けられ得る。
【００１４】
しかし、更にノブ１９のねじを緩めることで、スパイダーの主軸Ｘを中心とした支持部の回転の停止に影響を与える。
かくして、本発明は、公知の解決法と比較して多くの利点を有することによって、提案されている目的を果たすことができる。第１に、本発明に係わる三脚においては、２つの対向した動作位置の間で選択され得るかつ備えられた位置の数を増加することで、スパイダーに対する支柱の配置において、比較的広範囲に渡る汎用性が得られる。２つの対向した動作位置では、支柱は、スパイダーの主軸に対して平行に、また垂直に、夫々位置されている。第２に、本発明は、有利には、支柱の位置付けが容易かつ急速に調節され得るようにする。この調節は、三脚の脚部の位置の調節から独立している。これは、特に便利でも容易でもない写真の場合にも、使用者が、時としてかなり重たい写真装置の物品の配置において素早くかつ安定的に作動させるのを可能にする。
【図面の簡単な説明】
【図１】  図１は、本発明に係わって形成された三脚の斜視図である。
【図２】  図２は、図１の三脚の平面図である。
【図３】  図３は、図２のＩＩＩ−ＩＩＩ線に沿った断面図である。
【図４】  図４は、図３のＩＶ−ＩＶ線に沿った部分的な断面図である。
【図５】  図５は、図４の詳細な斜視図である。
【図６】  図６は、図４の詳細な斜視図である。
【図１】
0004490021.tif 000002
【図２】
0004490021.tif 000003
【図３】
0004490021.tif 000004
【図４】
0004490021.tif 000005
【図５】
0004490021.tif 000006
【図６】
0004490021.tif 000007